(57)【要約】【課題】３本の固定ねじに対応させて必須とされていた３個のコイルばねの数を減らす（なくす）と同時に好適なアオリ調整を行うことができる撮像素子のアオリ調整機構を得ること。【解決手段】本発明の撮像素子のアオリ調整機構は、撮像開口を有する撮像素子ホルダ；前記撮像開口を通過した撮影光束を受光する撮像素子を支持した撮像素子支持基板；前記撮像素子ホルダと撮像素子の間に挟着され両者を離間方向に付勢する弾性部材；及び前記弾性部材の付勢力に抗して前記撮像素子支持基板を撮像素子ホルダに固定する、前記撮像素子とは非接触で該撮像素子の周囲に位置する３箇所の固定ねじ；を有し、前記弾性部材は、前記３箇所の固定ねじを平面的に結ぶ三角形の内側において前記撮像素子の表面周囲に弾接する押圧リブを有することを特徴としている。【選択図】図５
2011188254.tif 000002
【特許請求の範囲】
【請求項１】
撮像開口を有する撮像素子ホルダ；
前記撮像開口を通過した撮影光束を受光する撮像素子を支持した撮像素子支持基板；
前記撮像素子ホルダと撮像素子の間に挟着され両者を離間方向に付勢する弾性部材；及び
前記弾性部材の付勢力に抗して前記撮像素子支持基板を撮像素子ホルダに固定する、前記撮像素子とは非接触で該撮像素子の周囲に位置する３箇所の固定ねじ；を有し、
前記弾性部材は、前記３箇所の固定ねじを平面的に結ぶ三角形の内側において前記撮像素子の表面周囲に弾接する押圧リブを有することを特徴とする撮像素子のアオリ調整機構。
【請求項２】
請求項１記載の撮像素子のアオリ調整機構において、
前記押圧リブは不連続に設けられている撮像素子のアオリ調整機構。
【請求項３】
請求項１または２記載の撮像素子のアオリ調整機構において、
前記三角形の外側に前記押圧リブの一部が存在し、前記三角形の内側に前記押圧リブとは別の付勢手段が位置している撮像素子のアオリ調整機構。
【請求項４】
請求項３記載の撮像素子のアオリ調整機構において、
前記押圧リブとは別の付勢手段はコイルばねである撮像素子のアオリ調整機構。
【請求項５】
請求項１または２記載の撮像素子のアオリ調整機構において、
前記三角形の内側に前記押圧リブの全てが存在する撮像素子のアオリ調整機構。
【請求項６】
請求項１ないし５のいずれか１項記載の撮像素子のアオリ調整機構において、
前記弾性部材は、前記押圧リブより外側に位置させて、前記撮像素子の表面周囲に当接して該撮像素子への有害光線の入射を防ぐ、前記押圧リブより柔軟で閉じられた形状の遮光リブを備えている撮像素子のアオリ調整機構。
【請求項７】
請求項２ないし６のいずれか１項記載の撮像素子のアオリ調整機構において、
前記押圧リブは、平面矩形の撮像素子の各辺部に対応させて４つが設けられている撮像素子のアオリ調整機構。
【請求項８】
請求項１ないし７のいずれか１項記載の撮像素子のアオリ調整機構において、
前記弾性部材はゴムパッキンである撮像素子のアオリ調整機構。
【請求項９】
撮像開口を有する撮像素子ホルダ；
前記撮像開口を通過した撮影光束を受光する撮像素子を支持した撮像素子支持基板；
前記撮像素子ホルダと撮像素子の間に挟着され両者を離間方向に付勢する弾性部材；及び
前記弾性部材の付勢力に抗して前記撮像素子支持基板を撮像素子ホルダに固定する３箇所の固定ねじ；を有する撮像素子のアオリ調整機構において、
前記弾性部材は、前記撮像素子の表面周囲に弾接する押圧リブを有し、
前記押圧リブは、前記３箇所の固定ねじを平面的に結ぶ三角形の内側に位置し、かつ前記三角形の少なくとも一辺の延長線によって分けられた領域のうち、三角形が位置する側の領域に全ての押圧リブが位置することを特徴とする撮像素子のアオリ調整機構。
【請求項１０】
請求項９記載の撮像素子のアオリ調整機構において、
前記押圧リブは不連続に設けられている撮像素子のアオリ調整機構。
【発明の詳細な説明】
【技術分野】
【０００１】
本発明は、撮像素子を支持した撮像素子支持基板の撮像素子ホルダに対する取付角度を調整するアオリ調整機構に関する。
【背景技術】
【０００２】
デジタルカメラ等の撮像装置では、撮像開口を有する撮像素子ホルダに、該撮像開口を通過した撮影光束を受光する撮像素子を固定している。この固定に際しては、撮像素子を支持した撮像素子支持基板と撮像素子ホルダとの間に、撮像素子の周囲に位置させて、両者を離間方向に付勢するコイルばねと、このコイルばねの付勢力に抗して撮像素子支持基板を撮像素子ホルダに固定する固定ねじとを３つずつ配設し、各固定ねじのねじ込み量を調整することで、撮像素子表面が光軸と正しく直交するように傾き（チルト）を調整している（特許文献１）。
【０００３】
また、撮像素子のアオリ調整機構として、レンズを保持する筐体に撮像素子を取り付けるにあたり、筐体の内部に、前方から順に、矩形の開口部を有する弾性部材、この弾性部材に接触させた撮像素子、平板状の固定部材を配置し、この固定部材に螺合され先端が撮像素子の背面に当接する３本の調整ねじをねじ込んで弾性部材を圧縮変形させ、撮像素子の取付角度を調整するものも知られている（特許文献２）。
【先行技術文献】
【特許文献】
【０００４】
【特許文献１】特開２００６−１５４６８０号公報
【特許文献２】特開２００４−２８７３０４号公報
【発明の概要】
【発明が解決しようとする課題】
【０００５】
しかしながら、特許文献１の撮像素子のアオリ調整機構にあっては、３本の固定ねじに対応させて３個のコイルばねを必須とするため、部品点数、組立性、コストのいずれの点でも改良の余地がある。
【０００６】
また、特許文献２の撮像素子のアオリ調整機構にあっては、弾性部材が３本の調整ねじを平面的に結ぶ三角形の内側ではなく外側だけに位置している、特にこの三角形の任意の一辺の延長線によって２つの領域を規定したとき、いずれの一辺を基準としても三角形が位置しない側の領域に必ず弾性部材が位置しているため、この弾性部材の圧縮に追従するために別部材としてのアオリ調整コイルばねを設ける必要があり、これを設けないと好適なアオリ調整を行うことが難しい。
【０００７】
本発明は、以上の問題意識に基づき、３本の固定ねじに対応させて必須とされていた３個のコイルばねの数を減らす（なくす）と同時に好適なアオリ調整を行うことができる撮像素子のアオリ調整機構を得ることを目的とする。
【課題を解決するための手段】
【０００８】
本発明は、撮像素子ホルダと撮像素子の間に一般的に挟着配置される弾性部材（ゴムパッキン）に、３本の固定ねじを平面的に結ぶ三角形の内側において撮像素子の周囲内面に弾接する押圧リブを設ければ、この押圧リブが従来のコイルばねの機能を代替してコイルばねの数を減らす（なくす）ことができ、同時に好適なアオリ調整を行うことができるとの着眼に基づいてなされたものである。
【０００９】
すなわち、本発明の撮像素子のアオリ調整機構は、撮像開口を有する撮像素子ホルダ；前記撮像開口を通過した撮影光束を受光する撮像素子を支持した撮像素子支持基板；前記撮像素子ホルダと撮像素子の間に挟着され両者を離間方向に付勢する弾性部材；及び前記弾性部材の付勢力に抗して前記撮像素子支持基板を撮像素子ホルダに固定する、前記撮像素子とは非接触で該撮像素子の周囲に位置する３箇所の固定ねじ；を有し、前記弾性部材は、前記３箇所の固定ねじを平面的に結ぶ三角形の内側において前記撮像素子の表面周囲に弾接する押圧リブを有することを特徴としている。
本明細書で「撮像素子」とは、撮像素子単体及び撮像素子を固定した基板の双方を意味するものとする。
また本明細書で「３箇所の固定ねじを平面的に結ぶ三角形」とは、光軸方向から見たときに３箇所の固定ねじの中心軸を結んでできる三角形を意味するものとする。
【００１０】
前記押圧リブは、不連続に設けることが好ましい。
【００１１】
本発明の撮像素子のアオリ調整機構は、その一態様では、前記三角形の外側に前記押圧リブの一部が存在し、前記三角形の内側に前記押圧リブとは別の付勢手段が位置している。この別の付勢手段は、具体的には、コイルばねとするのが実際的である。
【００１２】
本発明の撮像素子のアオリ調整機構は、別の態様では、前記三角形の内側に前記押圧リブの全てが存在する。
【００１３】
前記弾性部材には、前記押圧リブより外側に位置させて、前記撮像素子の表面周囲に当接して該撮像素子への有害光線の入射を防ぐ、前記押圧リブより柔軟で閉じられた形状の遮光リブを備えることが好ましい。
【００１４】
前記押圧リブは、平面矩形の撮像素子の各辺部に対応させて設けた４個とすることができる。例えば押圧リブが４個の態様において、３カ所の固定ねじを平面的に結ぶ三角形の外側に、その一部の押圧リブを配置するときは、その２個を三角形の内側に位置させ、その２個を三角形の外側に位置させることができる。このとき、三角形の内側に１個または２個の別の付勢手段（コイルばね）を配置する。
【００１５】
前記弾性部材はゴムパッキンとするのが実際的である。
【００１６】
本発明の撮像素子のアオリ調整機構は、別の態様では、撮像開口を有する撮像素子ホルダ；前記撮像開口を通過した撮影光束を受光する撮像素子を支持した撮像素子支持基板；前記撮像素子ホルダと撮像素子の間に挟着され両者を離間方向に付勢する弾性部材；及び前記弾性部材の付勢力に抗して前記撮像素子支持基板を撮像素子ホルダに固定する３箇所の固定ねじ；を有する撮像素子のアオリ調整機構において、前記弾性部材は、前記撮像素子の表面周囲に弾接する押圧リブを有し、前記押圧リブは、前記３箇所の固定ねじを平面的に結ぶ三角形の内側に位置し、かつ前記三角形の少なくとも一辺の延長線によって分けられた領域のうち、三角形が位置する側の領域に全ての押圧リブが位置することを特徴としている。
【００１７】
この態様においても、前記押圧リブは、不連続に設けることが好ましい。
【発明の効果】
【００１８】
本発明による撮像素子のアオリ調整機構によれば、３本の固定ねじに対応させて必須とされていた３個のコイルばねの数を減らす（なくす）と同時に好適なアオリ調整を行うことができる。
【図面の簡単な説明】
【００１９】
【図１】本発明の撮像素子のアオリ調整機構を備えた撮像素子ユニットを前方から見た分解斜視図である。
【図２】本発明の撮像素子のアオリ調整機構を備えた撮像素子ユニットを後方から見た分解斜視図である。
【図３】本発明の撮像素子のアオリ調整機構を備えた撮像素子ユニットの組立状態（ゴムパッキンについては自由状態）を示す断面図である。
【図４】ゴムパッキンの自由状態における単体形状を示す斜視図である。
【図５】ゴムパッキンの押圧リブと３ヶ所の固定ネジとの平面的な位置関係を示す図である。
【図６】ゴムパッキンの押圧リブと３ヶ所の固定ネジとの平面的な位置関係を変えた第１の変形図である。
【図７】ゴムパッキンの押圧リブと３ヶ所の固定ネジとの平面的な位置関係を変えた第２の変形図である。
【図８】ゴムパッキンの押圧リブと３ヶ所の固定ネジとの平面的な位置関係を変えた第３の変形図である。
【図９】ゴムパッキンの押圧リブと３ヶ所の固定ネジとの平面的な位置関係を変えた第４の変形図である。
【発明を実施するための形態】
【００２０】
図１ないし図３は、本発明の撮像素子のアオリ調整機構を備えた撮像素子ユニット１００を示している。撮像素子ユニット１００は、例えばデジタルカメラの撮像光学系の撮像位置に配置される。本実施形態では、説明を簡略化するため撮像素子ユニット１００以外の構成要素の図示及び説明は省略している。
【００２１】
撮像素子ユニット１００は、撮像素子ホルダ１０に、ゴムパッキン（弾性部材）３０を介して撮像素子アッシ４０を保持してなっている。撮像素子ホルダ１０とゴムパッキン３０の間にはローパスフィルタ（光学素子）２０が挟着されている。撮像素子ホルダ１０は矩形の撮像開口１１を有しており、この撮像開口１１の後方周囲内面には、矩形のローパスフィルタ支持段部１２と、矩形のゴムパッキン支持段部１３が径方向外方に向かって順に形成されている。ローパスフィルタ支持段部１２にはローパスフィルタ２０が設置（当接）され、ゴムパッキン支持段部１３にはゴムパッキン３０が設置（当接）される。撮像素子ホルダ１０の後端部には径方向外方に延びる後壁部１４が設けられ、この後壁部１４には、３つのねじ穴１５Ａ，１５Ｂ，１５Ｃと、２つのボス１６が設けられている。ねじ穴１５Ａ，１５Ｂは、矩形の撮像開口１１の一方の短辺に沿って離隔して設けられ、ねじ穴１５Ｃは、他方の短辺側に設けられている。符号Ｏは、撮像素子ユニット１００の撮像光軸（撮像開口１１の中心）を示している。
【００２２】
撮像素子アッシ４０は、撮像開口１１を通過した撮影光束を受光する矩形の撮像素子４１と、この撮像素子４１を固定した基板４２と、この基板４２を接着剤Ｓで固定した撮像素子支持基板（金属板）４３からなる。基板４２は、接着剤Ｓの厚みの分だけ撮像素子支持基板４３から若干浮いた状態になっている。
【００２３】
撮像素子支持基板４３には、撮像素子ホルダ１０のねじ穴１５Ａ，１５Ｂ，１５Ｃに対応する３つの貫通穴４４Ａ，４４Ｂ，４４Ｃと、撮像素子ホルダ１０のボス１６に対応する２つのボス穴４５が設けられている。４６は、撮像素子４１のアオリ調整用コイルばね（付勢手段）であり、撮像素子ホルダ１０と撮像素子支持基板４３（撮像素子アッシ４０）とを離間方向に付勢している。５０Ａ，５０Ｂ，５０Ｃは、アオリ調整用コイルばね４６の付勢力に抗して撮像素子支持基板４３（撮像素子アッシ４０）を撮像素子ホルダ１０に固定する３つ（３箇所）の固定ねじ（調整ねじ）であり、撮像素子４１の周囲に位置している。
【００２４】
ゴムパッキン３０は、図４にその自由状態における単体形状を示すように、中央に開口を有し四隅が丸みを帯びたフレーム部３１を有している。このフレーム部３１の光軸Ｏ方向の後方には、フレーム部３１の全周に亘って閉じられた形状で設けられた遮光リブ３２と、この遮光リブ３２の内周側に不連続（間欠的、離散的）に設けられた押圧リブ３３Ｕ，３３Ｄ，３３Ｌ、３３Ｒとが延出形成されている（遮光リブ３２と押圧リブ３３Ｕ，３３Ｄ，３３Ｌ、３３Ｒがフレーム部３１で繋がっている）。本実施形態の押圧リブ３３Ｕ，３３Ｄ，３３Ｌ、３３Ｒは、フレーム部３１の各辺（平面矩形の撮像素子４１の各辺）に対応する上下左右に４つ設けられている。遮光リブ３２は、自由状態においてフレーム部３１の外側に向かって延びており、押圧リブ３３Ｕ，３３Ｄ，３３Ｌ、３３Ｒは、自由状態においてフレーム部３１の後方に向かって延びている。遮光リブ３２の自由状態における光軸Ｏ方向の後方の先端は、押圧リブ３３Ｕ，３３Ｄ，３３Ｌ、３３Ｒの自由状態における光軸Ｏ方向の先端よりも光軸Ｏ方向の後方に位置しており、遮光リブ３２は、薄く形成されていることにより押圧リブ３３Ｕ，３３Ｄ，３３Ｌ、３３Ｒよりも変形しやすい柔軟な形状となっている（単位変形量当たりの弾性反力が小さくなっている）。
ゴムパッキン３０を撮像素子ユニット１０に組付けた状態では、遮光リブ３２は、弾性変形した状態で撮像素子４１の表面周囲に当接して撮像素子４１への有害光線の入射を防ぎ、押圧リブ３３Ｕ，３３Ｄ，３３Ｌ、３３Ｒは、撮像素子４１によって光軸Ｏ方向の前方に押圧されることによりローパスフィルタ２０を撮像素子ホルダ１０に対して押圧する。
また、押圧リブ３３Ｕ，３３Ｄ，３３Ｌ、３３Ｒは、ローパスフィルタ２０の背面周囲に当接し、ローパスフィルタ２０をフラットに押圧するフィルタ支持面３４を有している。
【００２５】
以上の構成の撮像素子ユニット１００は、次のように組み立てる。まず撮像素子ホルダ１０のローパスフィルタ支持段部１２にローパスフィルタ２０を位置させ、次いでゴムパッキン支持段部１３にゴムパッキン３０を位置させ、次いで撮像素子支持基板４３のボス穴４５に撮像素子ホルダ１０のボス１６を挿通して貫通穴４４Ａ−４４Ｃとねじ穴１５Ａ−１５Ｃの位置を対応させ、ねじ穴１５Ａ−１５Ｃに３つの固定ねじ５０Ａ−５０Ｃを螺合させる。これにより、アオリ調整用コイルばね４６の付勢力に抗して撮像素子アッシ４０（撮像素子支持基板４３）が光軸Ｏ方向の後方から撮像素子ホルダ１０に固定され、撮像素子アッシ４０（撮像素子４１）が撮像開口１１の光軸Ｏ方向の後方に位置して撮像素子ホルダ１０に支持されるとともに、撮像開口１１の周囲内面と撮像素子アッシ４０（撮像素子４１）の間にローパスフィルタ２０及びゴムパッキン３０が挟着される。図３は、この撮像素子ユニット１０の組立状態（ゴムパッキン３０については組立状態でなく自由状態）を示している。
【００２６】
ゴムパッキン３０と撮像素子アッシ４０（撮像素子４１）が接近すると、まず遮光リブ３２の先端が撮像素子４１に当接し、その後遮光リブ３２はフレーム部３１の外側（図３中のＡ方向）に向かって弾性変形する。このとき遮光リブ３２は、撮像素子４１に有害な押圧力を及ぼすことなく大きく弾性変形するので、撮像素子４１への有害光線の入射経路を遮断して高い遮光機能が得られるとともに、撮像素子４１への埃や粉塵の侵入を遮断して高い防塵機能が得られる。また、遮光リブ３２の先端が押圧リブ３３Ｕ，３３Ｄ，３３Ｌ、３３Ｒの先端より光軸Ｏ方向の後方に位置しているので、アオリ調整などで撮像素子アッシ４０（撮像素子４１）の位置が後方に下がった場合でも十分な遮光機能が得られる。また、押圧リブ３３が撮像素子４１と当接する前に十分な遮光状態が得られる。
【００２７】
ゴムパッキン３０と撮像素子アッシ４０（撮像素子４１）がさらに接近していくと、やがて押圧リブ３３Ｕ，３３Ｄ，３３Ｌ、３３Ｒの先端が撮像素子４１に当接し、その後押圧リブ３３Ｕ，３３Ｄ，３３Ｌ、３３Ｒは、フレーム部３１の中心側（図３中のＢ方向）に向かって弾性変形する。このとき押圧リブ３３Ｕ，３３Ｄ，３３Ｌ、３３Ｒは、先端が弾性変形しやすいように尖っている先端部を撓ませることによって、撮像素子４１にかかる力を適度に逃がす。押圧リブ３３Ｕ，３３Ｄ，３３Ｌ、３３Ｒは、４つが不連続（間欠的、離散的）に設けられていて、独立して弾性変形するので、押圧リブ３３Ｕ，３３Ｄ，３３Ｌ、３３Ｒが撮像素子４１を押圧し過ぎることがなく、撮像素子４１から出力される画像データに悪影響が生じることがない（画像データに悪影響が生じるような押圧力を与えるおそれがない）。すなわち、撮像素子自体が撓んで撮像素子４１が光軸Ｏ方向の後方（図３中のＣ方向）にずれることはなく、撮像素子４１から良好な画像データを出力することができる。
【００２８】
撮像素子４１が押圧リブ３３Ｕ，３３Ｄ，３３Ｌ、３３Ｒを押圧すると、フィルタ支持面３４がローパスフィルタ２０の側（図３中のＤ方向）に弾性変形するので、ローパスフィルタ支持段部１２とフィルタ支持面３４の間にローパスフィルタ２０を確実に保持することができる。このとき、フィルタ支持面３４がローパスフィルタ２０をフラットに押圧するので、ローパスフィルタ２０の光軸方向位置を確実に規定することができる。
【００２９】
そして本実施形態では、図５に示すように、３つの固定ねじ５０Ａ−５０Ｃのねじ込み量を調整することにより、３つの固定ねじ５０Ａ−５０Ｃを平面的に結ぶ三角形Ｔ１の内側に位置するアオリ調整用コイルばね４６の弾性力と、三角形Ｔ１の内外に位置する４つの押圧リブ３３Ｕ，３３Ｄ，３３Ｌ、３３Ｒの弾性力とを利用して、撮像素子４１の表面が光軸と正しく直交するように傾き（チルト）を調整（アオリ調整）することができる。
【００３０】
より具体的には、本実施の形態では、三角形Ｔ１の固定ねじ５０Ａと５０Ｃを結ぶ辺の延長線によって２つの領域を規定したときは、三角形Ｔ１が位置する側の領域に押圧リブ３３Ｕ，３３Ｌが位置し、三角形Ｔ１が位置しない側の領域に押圧リブ３３Ｄ，３３Ｒが位置している。一方、三角形Ｔ１の固定ねじ５０Ａと５０Ｂを結ぶ辺の延長線によって２つの領域を規定したとき及び三角形Ｔ１の固定ねじ５０Ｂと５０Ｃを結ぶ辺の延長線によって２つの領域を規定したときは、三角形Ｔ１が位置する側の領域に全ての押圧リブ３３Ｕ，３３Ｄ，３３Ｌ、３３Ｒが位置している。
【００３１】
したがって、固定ねじ５０Ａ又は５０Ｃを緩めたときは、全ての押圧リブ３３Ｕ，３３Ｄ，３３Ｌ、３３Ｒの弾性力によって、撮像素子支持基板４３のうち緩めた固定ねじの側の部位が浮き上がる。一方、固定ねじ５０Ｂを緩めたときは、三角形Ｔ１の内側に位置する押圧リブ３３Ｕ，３３Ｌの弾性力と同三角形Ｔ１の外側に位置する押圧リブ３３Ｄ，３３Ｒの弾性力がつりあってしまうため、撮像素子支持基板４３のうち固定ねじ５０Ｂの側の部位が浮き上がれない。そのため、三角形Ｔ１の内側にアオリ調整用コイルばね４６を設けて、このアオリ調整用コイルばね４６の反発力により三角形Ｔ１の外側に位置する押圧リブ３３Ｄ，３３Ｒが圧縮され、撮像素子支持基板４３のうち固定ねじ５０Ｂの側の部位を浮き上がらせることができる。これにより、固定ねじ５０Ａ−５０Ｃのいずれを緩めたりねじ込んだりした場合であっても、撮像素子支持基板４３のうち調整した固定ねじの側の部位が固定ねじに追従して上がったり下がったりする。
【００３２】
以上のように、三角形Ｔ１の内側に位置するアオリ調整用コイルばね４６と、同三角形Ｔ１の内外に位置する全ての押圧リブ３３Ｕ，３３Ｄ，３３Ｌ、３３Ｒが撮像素子ホルダ１０と撮像素子支持基板４３とを離間させる方向に付勢する付勢手段としての作用を負担する。３つの固定ねじ５０Ａ−５０Ｃは、この付勢力に抗して撮像素子支持基板４３を撮像素子ホルダ１０に固定するものであるから、この３つの固定ねじ５０Ａ−５０Ｃの螺合量を調整することにより、撮像素子４１の傾き（チルト量）を調整することができる。図示実施形態では、４個の押圧リブ３３Ｕ，３３Ｄ，３３Ｌ、３３Ｒの他に必要な付勢手段は、１つのアオリ調整用コイルばね４６だけであり、別部材としての付勢手段の数を減らすことができる。
【００３３】
上述した従来の撮像素子のアオリ調整機構では、３つの固定ねじ５０Ａ−５０Ｃに対応させて３個のアオリ調整用コイルばねを設けることが必須であった。これに対し本実施の形態では、２個のアオリ調整用コイルばね（の弾性力）に代えてゴムパッキン３０の４つの押圧リブ３３Ｕ，３３Ｄ，３３Ｌ、３３Ｒ（の弾性力）を用いることで、３つの固定ねじ５０Ａ−５０Ｃと１個のアオリ調整用コイルばね４６だけでアオリ調整を行うことができる。その結果、２個のアオリ調整用コイルばねを削減し、組立性を向上させ、コストを低減することができる。
【００３４】
図６は、本発明の撮像素子のアオリ調整機構の別の実施形態を示している。図６では、図５において三角形Ｔ１の外側に位置する２つの押圧リブ３３Ｄ，３３Ｒを省略して、三角形Ｔ１の内側に全ての押圧リブ３３Ｕ，３３Ｌが存在している。これにより、固定ねじ５０Ａ−５０Ｃのいずれを緩めたりねじ込んだりした場合であっても、三角形Ｔ１の内側に位置する全ての押圧リブ３３Ｕ，３３Ｌの弾性力だけを利用して、撮像素子支持基板４３のうち調整した固定ねじの側の部位が固定ねじに追従して上がったり下がったりして好適なアオリ調整を行うことができる。また、三角形Ｔ１の内側に位置する押圧リブの圧縮に追従するために別部材としてのアオリ調整用コイルばねを設ける必要がなく、組立性を向上させ、コストを低減することができる。
【００３５】
図７は、本発明の撮像素子のアオリ調整機構のさらに別の実施形態を示している。図７では、図５において３つの固定ねじ５０Ａ，５０Ｂ，５０Ｃに代えて、配置位置を変えた３つの固定ねじ５０Ｄ，５０Ｅ，５０Ｆを設け、これら３つの固定ねじ５０Ｄ−５０Ｆを平面的に結ぶ三角形Ｔ２の内側に全ての押圧リブ３３Ｕ，３３Ｄ，３３Ｌ、３３Ｒが存在している。この実施形態でも図６の実施形態と同じように、固定ねじ５０Ｄ−５０Ｆのいずれを緩めたりねじ込んだりした場合であっても、三角形Ｔ２の内側に位置する全ての押圧リブ３３Ｕ，３３Ｄ，３３Ｌ、３３Ｒの弾性力だけを利用して、撮像素子支持基板４３のうち調整した固定ねじの側の部位が固定ねじに追従して上がったり下がったりして好適なアオリ調整を行うことができる。また、三角形Ｔ２の内側に位置する押圧リブの圧縮に追従するために別部材としてのアオリ調整用コイルばねを設ける必要がなく、組立性を向上させ、コストを低減することができる。さらに図７の実施形態によれば、押圧リブ３３Ｕ，３３Ｄ，３３Ｌ、３３Ｒが上下左右に均等に位置しているので、図６の実施形態とは異なり、撮像素子４１を均一に押圧することが可能である。
【００３６】
図８は本発明の撮像素子のアオリ調整機構の変形例を示しており、図６の押圧リブ３３Ｕ，３３Ｌに代えて三角フレーム形状の押圧リブ３５を設けている。また、図９は本発明の撮像素子のアオリ調整機構の変形例を示しており、図７の押圧リブ３３Ｕ，３３Ｄ，３３Ｌ、３３Ｒに代えて四角フレーム形状の押圧リブ３６を設けている。本変形例に示すように、押圧リブは必ずしも不連続に設ける必要はなく連続的に設けてもよいし、その形状も問わない。
【００３７】
以上のように、本実施の形態の撮像素子のアオリ調整機構によれば、撮像開口を有する撮像素子ホルダ；前記撮像開口を通過した撮影光束を受光する撮像素子を支持した撮像素子支持基板；前記撮像素子ホルダと撮像素子の間に挟着され両者を離間方向に付勢する弾性部材；及び前記弾性部材の付勢力に抗して前記撮像素子支持基板を撮像素子ホルダに固定する、前記撮像素子とは非接触で該撮像素子の周囲に位置する３箇所の固定ねじ；を有し、前記弾性部材は、前記３箇所の固定ねじを平面的に結ぶ三角形の内側において前記撮像素子の表面周囲に弾接する押圧リブを有するので、撮像素子と撮像素子支持基板とを離間方向に付勢するアオリ調整用コイルばねの一部又は全部を、弾性部材によって置換することができる。従って、部品点数を削減し、組立性を向上させ、コストを低減するとともに、好適なアオリ調整を行うことができる。
【００３８】
以上の実施形態では、フレーム部３１の各辺に対応して４つの押圧リブ３３Ｕ，３３Ｄ，３３Ｌ、３３Ｒを設けているが、本発明はこれに限定されない。押圧リブの数及び設ける位置は適宜変更可能である。
【符号の説明】
【００３９】
１００  撮像素子ユニット
１０  撮像素子ホルダ
１１  撮像開口
１２  ローパスフィルタ支持段部
１３  ゴムパッキン支持段部
１４  後壁部
１５Ａ  １５Ｂ  １５Ｃ  ねじ穴
１６  ボス
２０  ローパスフィルタ（光学素子）
３０  ゴムパッキン（弾性部材）
３１  フレーム部
３２  遮光リブ
３３Ｕ  ３３Ｄ  ３３Ｌ  ３３Ｒ  押圧リブ
３４  フィルタ支持面（支持面）
３５  三角フレーム形状の押圧リブ
３６  四角フレーム形状の押圧リブ
４０  撮像素子アッシ
４１  撮像素子
４２  基板
４３  撮像素子支持基板（金属板）
４４Ａ  ４４Ｂ  ４４Ｃ  ねじ穴
４５  ボス穴
４６  アオリ調整用コイルばね（付勢手段）
５０Ａ  ５０Ｂ  ５０Ｃ  固定ねじ（調整ねじ）
【図１】
2011188254.tif 000003
【図２】
2011188254.tif 000004
【図３】
2011188254.tif 000005
【図４】
2011188254.tif 000006
【図５】
2011188254.tif 000007
【図６】
2011188254.tif 000008
【図７】
2011188254.tif 000009
【図８】
2011188254.tif 000010
【図９】
2011188254.tif 000011